(57)【特許請求の範囲】
【請求項１】
基地局（ＢＳ）と、前記ＢＳが受け持つ複数のユーザ機器（ＵＥ）とを備える時分割複信（ＴＤＤ）システムにおけるダウンリンク（ＤＬ）−アップリンク（ＵＬ）リソース割当てを再構成する方法であって、
ａ）送信されるＤＬおよびＵＬデータのトラフィック状況を取得するステップと、
ｂ）ＴＤＤシステムのＤＬ送信能力およびＵＬ送信能力を示すシステムに関する送信能力、および／または、相異なるＵＥの送信能力を示すＵＥに関する送信能力を推定するステップと、
ｃ）取得される前記トラフィック状況と、推定される前記システムに関する送信能力および／または前記ＵＥに関する送信能力とに従って、ＤＬ−ＵＬリソース割当てを再構成するステップと、を含み、
前記ステップａ）は、
前記ＴＤＤシステムの前記複数のＵＥの、ＤＬバッファの全ＤＬデータ量と、ＵＬバッファの全ＵＬデータ量とを取得することと、
前記全ＤＬデータ量と前記全ＵＬデータ量とのデータ量比率を取得することと、を含み、
前記ステップｂ）は、
前記ＴＤＤシステムの前記ＤＬ送信能力および前記ＵＬ送信能力を推定することと、
前記ＤＬ送信能力と前記ＵＬ送信能力との送信能力比率を算出することと、を含み、
前記ステップｃ）は、
複数の設定から、前記データ量比率を前記送信能力比率で除することにより得られる修正されたＤＬ−ＵＬ比率に最も近いＤＬ−ＵＬ比率を有する１つの設定を選択することを含む、
方法。
【請求項２】
基地局（ＢＳ）と、前記ＢＳが受け持つ複数のユーザ機器（ＵＥ）とを備える時分割複信（ＴＤＤ）システムにおけるダウンリンク（ＤＬ）−アップリンク（ＵＬ）リソース割当てを再構成する方法であって、
ａ）送信されるＤＬおよびＵＬデータのトラフィック状況を取得するステップと、
ｂ）ＴＤＤシステムのＤＬ送信能力およびＵＬ送信能力を示すシステムに関する送信能力、および／または、相異なるＵＥの送信能力を示すＵＥに関する送信能力を推定するステップと、
ｃ）取得される前記トラフィック状況と、推定される前記システムに関する送信能力および／または前記ＵＥに関する送信能力とに従って、ＤＬ−ＵＬリソース割当てを再構成するステップと、を含み、
前記ステップａ）は、
前記複数のＵＥのＵＥそれぞれのＤＬデータ量およびＵＬデータ量それぞれを取得することを含み、
前記ステップｂ）は、
各ＵＥの前記ＤＬ送信能力および前記ＵＬ送信能力を推定することと、
前記ＵＥの前記ＤＬデータ量および前記ＵＬデータ量を、前記ＵＥの前記ＤＬ送信能力と前記複数のＵＥの中で最大のＤＬ送信能力との比率を表すＤＬ因子と、前記ＵＥの前記ＵＬ送信能力と前記複数のＵＥの中で最大のＵＬ送信能力との比率を表すＵＬ因子と、により、それぞれ調整することと、
前記複数のＵＥについて、前記調整されたＤＬデータ量の合計と、前記調整されたＵＬデータ量の合計とをそれぞれ算出することと、を含む、
方法。
【請求項３】
前記ステップｃ）は、
複数の設定から、前記調整されたＤＬデータ量の合計を前記調整されたＵＬデータ量の合計で除することにより取得される修正されたＤＬ−ＵＬ比率に最も近いＤＬ−ＵＬ比率を有する１つの設定を選択することを含む、
請求項２に記載の方法。
【請求項４】
前記ステップｂ）は、更に、
前記ＴＤＤシステムの前記ＤＬ送信能力および前記ＵＬ送信能力を推定することと、
前記ＤＬ送信能力および前記ＵＬ送信能力の送信能力比率を算出することと、を含む、
請求項２に記載の方法。
【請求項５】
前記ステップｃ）は、
複数の設定から、前記修正されたＤＬ−ＵＬ比率を、前記送信能力比率で除したときの商に最も近いＤＬ−ＵＬ比率を有する１つの設定を選択することを含む、
請求項３に記載の方法。
【請求項６】
基地局（ＢＳ）と、前記ＢＳが受け持つ複数のユーザ機器（ＵＥ）とを備える時分割複信（ＴＤＤ）システムにおけるダウンリンク（ＤＬ）−アップリンク（ＵＬ）リソース割当てを再構成する装置であって、
送信されるＤＬおよびＵＬデータのトラフィック状況を取得するよう構成された取得部と、
ＴＤＤシステムのＤＬ送信能力およびＵＬ送信能力を示すシステムに関する送信能力、および／または、相異なるＵＥの送信能力を示すＵＥに関する送信能力を推定するよう構成された推定部と、
取得される前記トラフィック状況と、推定される前記システムに関する送信能力および／または前記ＵＥに関する送信能力とに従って、ＤＬ−ＵＬリソース割当てを再構成するよう構成された再構成部と、を備え、
前記取得部は、
前記ＴＤＤシステムの前記複数のＵＥの、ＤＬバッファの全ＤＬデータ量と、ＵＬバッファの全ＵＬデータ量とを取得し、
前記全ＤＬデータ量と前記全ＵＬデータ量とのデータ量比率を取得するよう構成され、
前記推定部は、
前記ＴＤＤシステムの前記ＤＬ送信能力および前記ＵＬ送信能力を推定し、
前記ＤＬ送信能力と前記ＵＬ送信能力との送信能力比率を算出するよう構成され、
前記再構成部は、
複数の設定から、前記データ量比率を前記送信能力比率で除することにより得られる修正されたＤＬ−ＵＬ比率に最も近いＤＬ−ＵＬ比率を有する１つの設定を選択するよう構成されている、
装置。
【請求項７】
基地局（ＢＳ）と、前記ＢＳが受け持つ複数のユーザ機器（ＵＥ）とを備える時分割複信（ＴＤＤ）システムにおけるダウンリンク（ＤＬ）−アップリンク（ＵＬ）リソース割当てを再構成する装置であって、
送信されるＤＬおよびＵＬデータのトラフィック状況を取得するよう構成された取得部と、
ＴＤＤシステムのＤＬ送信能力およびＵＬ送信能力を示すシステムに関する送信能力、および／または、相異なるＵＥの送信能力を示すＵＥに関する送信能力を推定するよう構成された推定部と、
取得される前記トラフィック状況と、推定される前記システムに関する送信能力および／または前記ＵＥに関する送信能力とに従って、ＤＬ−ＵＬリソース割当てを再構成するよう構成された再構成部と、を備え、
前記取得部は、
前記複数のＵＥのＵＥそれぞれのＤＬデータ量およびＵＬデータ量それぞれを取得するよう構成され、
前記推定部は、
各ＵＥの前記ＤＬ送信能力および前記ＵＬ送信能力を推定し、
前記ＵＥの前記ＤＬデータ量および前記ＵＬデータ量を、前記ＵＥの前記ＤＬ送信能力と前記複数のＵＥの中で最大のＤＬ送信能力との比率を表すＤＬ因子と、前記ＵＥの前記ＵＬ送信能力と前記複数のＵＥの中で最大のＵＬ送信能力との比率を表すＵＬ因子と、により、それぞれ調整し、
前記複数のＵＥについて、前記調整されたＤＬデータ量の合計と、前記調整されたＵＬデータ量の合計とをそれぞれ算出するよう構成されている、
装置。
【発明の詳細な説明】
【技術分野】
【０００１】
本発明は、無線通信システムに関し、特に、時分割複信（ＴＤＤ）システムにおけるダウンリンク（ＤＬ）−アップリンク（ＵＬ）の再構成に関する。
【背景技術】
【０００２】
無線通信システムにおいて、リソース割当ては、ＢＳにより提供される基地局（ＢＳ）とユーザ機器（ＵＥ）との間の通信を実行するのに必要である。無線通信システムのリソースの多重化形式が異なれば、リソース割当ての実行に異なるメカニズムまたは設定が適用されるべきである。現在、この分野では、普及しているリソースの多重化形式が２つあり、即ち、時分割複信（ＴＤＤ）形式と周波数分割複信（ＦＤＤ）形式とがある。ＴＤＤ形式では、単一のバンド幅がＢＳおよび各ＵＥにより、それらの間でのＤＬ通信およびＵＬ通信の両方のために占有され、この占有は、ＤＬ通信およびＵＬ通信それぞれに異なる期間を割り当てることにより実行される。ここで、本分野で知られているように、ダウンリンク（ＤＬ）（またはフォワードリンク）は、ＢＳからＵＥへの通信リンクを指し、アップリンク（ＵＬ）（またはリバースリンク）は、ＵＥからＢＳへの通信リンクを指す。この通信リンクは、シングルインシングルアウト（ＳＩＳＯ）、マルチインシングルアウト（ＭＩＳＯ）またはマルチインマルチアウト（ＭＩＭＯ）システムを介して構築されている。
【０００３】
ＴＤ−ＬＴＥ（時分割−ロングタームエボリューション）システムのようなＴＤＤシステムでは、７つの異なるＤＬ−ＵＬ（ダウンリンクおよびアップリンク）設定０から６が定義され、これにより、非対称ＤＬ−ＵＬ割当てが維持されている。図１は、現在ＴＤ−ＬＴＥシステムで採用されている７つのＤＬ−ＵＬ設定を示し、Ｄは、ＤＬサブフレームを表し、ＵはＵＬサブフレームを示し、Ｓは特殊サブフレームに相当する。図１に示すように、７つの設定それぞれは、他とは異なる特定のＤＬ−ＵＬ割当てを提供しており、トラフィック要求に応じた柔軟なＤＬ−ＵＬ再構成を可能としている。例えば、層状の異種ネットワークにおいて、異なるセルにおいて異なるＤＬ−ＵＬ設定を配置することは大変興味深い。これは、小セルの構成では、トラフィックパターンがセル間で変化しうるからである。１つのセル内においても、明らかなＤＬおよびＵＬのトラフィック変動が時々観測される。
【０００４】
しかしながら、現在のＴＤ−ＬＴＥシステムでは、すべてのセルが同じＤＬ−ＵＬ設定を採用し、単に静的または準静的な設定のみが実現される。即ち、ＤＬ−ＵＬ設定は、数ヶ月に１回、または数年に１回調整されてから、異なるセル間で同一に維持されるが、これはダウンリンクおよびアップリンクトラフィックの著しい変化が観測されたときに、瞬時のトラフィック状況に適合しない場合がある。例えば、図２に示すように、全ての隣接セルが同一のＤＬ−ＵＬ設定５を有し、前述のように、設定が変更されない（即ち、静的な設定）、或いは数ヶ月後または数年後にのみ変更される（即ち、準静的な設定）。
【０００５】
現在、３ＧＰＰ（第三世代パートナーシッププロジェクト）では、トラフィック状況をトリガとして行われる動的ＤＬ−ＵＬ再構成の方法が議論されており、この方法では、再構成のプロセスが、送信されるＤＬおよびＵＬデータのトラフィック状況に依存してミリ秒毎に実行されてもよい。特に、ＢＳは、Ｘｍｓ（ここで、Ｘは０よりも大きい整数であり、好ましくは１０または６４０）毎に、ＤＬおよびＵＬバッファ内の送信されるデータ量の比率を算出し、７つの設定から、次のＸｍｓの送信について算出されたデータ量比率に最も近いＤＬ−ＵＬ比率を有する１つの設定を選択する。
【０００６】
しかしながら、このような方法は、送信すべきデータ量に加えて、送信能力のような他の多くの要因が、同様に適切な設定の選択に大きな影響を有するので、全システムの最良の性能を達成するにはまだ十分に効果的ではない。これらの要因は、全システムの有用な性能を達成するためにＤＬ−ＵＬ設定を調整する場合に考慮されるべきである。
【発明の概要】
【発明が解決しようとする課題】
【０００７】
この観点から、送信されるＤＬおよびＵＬデータに関するトラフィック状況に加えて、システムに関する送信能力および／またはＵＥに関する送信能力のような送信能力を、再構成について考慮する、ＴＤＤシステムにおけるＤＬ／ＵＬ再構成の方法および装置が提供される。
【課題を解決するための手段】
【０００８】
本発明の第１の観点によれば、本発明の実施形態は、
ａ）送信されるＤＬおよびＵＬデータのトラフィック状況を取得するステップと、
ｂ）ＴＤＤシステムのＤＬ送信能力およびＵＬ送信能力を示すシステムに関する送信能力および／または、相異なるＵＥの送信能力を示すＵＥに関する送信能力を推定するステップと、
ｃ）取得されるトラフィック状況と、推定されるシステムに関する送信能力および／またはＵＥに関する送信能力とに従って、ＤＬ−ＵＬリソース割当てを再構成するステップと、を含む、
基地局（ＢＳ）および当該基地局が受け持つ複数のユーザ機器（ＵＥｓ）を有する時分割複信（ＴＤＤ）システムにおけるダウンリンク（ＤＬ）−アップリンク（ＵＬ）リソース割当てを再構成する方法を提供する。
【０００９】
本発明の第２の観点によれば、本発明の実施形態は、
送信されるＤＬおよびＵＬデータのトラフィック状況を取得するよう構成された取得部と、
ＴＤＤシステムのＤＬ送信能力およびＵＬ送信能力を示すシステムに関する送信能力、および／または、相異なるＵＥの送信能力を示すＵＥに関する送信能力を推定するよう構成された推定部と、
取得される前記トラフィック状況と、推定される前記システムに関する送信能力および／またはＵＥに関する送信能力とに従って、ＤＬ−ＵＬリソース割当てを再構成するよう構成された再構成部と、を備える、
基地局（ＢＳ）および当該基地局が受け持つ複数のユーザ機器（ＵＥ）を有する時分割複信（ＴＤＤ）システムにおけるダウンリンク（ＤＬ）−アップリンク（ＵＬ）リソース割当てを再構成する装置を提供する。
【００１０】
本発明により提供される解決手段では、ＤＬ−ＵＬリソース割当てが、従来の静的または準静的な解決手段或いは３ＧＰＰで話題になったトラフィック状況のみ考慮する解決手段に比べて、より良いシステム性能が達成されるように、動的に再構成されてもよい。
【００１１】
また、本発明の実施形態の他の特徴および利点は、本発明の実施形態の原理を例示的に示した添付図面とともに以下の実施形態の説明を一読すれば、当該説明から明らかになるであろう。
【００１２】
本発明の実施形態は、例示的な意味で表されたものであり、これらの利点は以下で、以下の添付図面を参照しながらより詳細に説明される。
【図面の簡単な説明】
【００１３】
【図１】現在ＴＤ−ＬＴＥシステムで採用されている７つのＤＬ−ＵＬ設定を示す図である。
【図２】ＴＤ−ＬＴＥシステムにおけるセルの静的または準静的なＤＬ−ＵＬ設定の概略構成図である。
【図３】本発明の実施形態に係るシステムを示す図である。
【図４】本発明の実施形態に係るＴＤＤシステムのＤＬ−ＵＬリソース割当てを再構成する方法のフローチャートを示す図である。
【図５】本発明に係るＤＬ−ＵＬリソース割当てを再構成する方法の第１実施形態を示す図である。
【図６】本発明に係るＤＬ−ＵＬリソース割当てを再構成する方法の第２実施形態を示す図である。
【図７】本発明に係るＤＬ−ＵＬリソース割当てを再構成する方法の第３実施形態を示す図である。
【図８】本発明に係るＤＬ−ＵＬリソース割当てを再構成する装置のブロック図である。
【発明を実施するための形態】
【００１４】
本発明の種々の実施形態は、図面を参照しながら詳細に説明される。図中のフローチャートおよびブロック図は、本発明の実施形態に係るコンピュータプログラム製品により実行可能なアーキテクチャ、機能および動作とともに、装置、方法を示す。この点に関して、フローチャートの各ブロックまたはブロックは、特定の論理機能を実現する１または複数の実行可能な命令を含む、モジュール、プログラムまたはコードの一部を表すものであってもよい。いくつかの変形例では、ブロックで示された機能が、図面に示された順序とは異なる順序で生じてもよい。例えば、連続するように示された２つのブロックが、関連する機能に依存して、実際には実質的に並行して或いは逆の順序で実行されてもよい。また、ブロック図および／またはフローチャートの各ブロックおよびこれらの組み合わせは、特定の機能／動作を実行する専用のハードウェアに基づくシステム、または、専用のハードウェアとコンピュータ命令との組み合わせにより実現されてもよい。
【００１５】
概して、本開示は、基地局（ＢＳ）が、送信するＤＬおよびＵＬデータについてのトラフィック状況に加えて、システムに関する送信能力および／またはＵＥに関する送信能力を推定し、トラフィック状況と、システムに関する送信能力および／またはＵＥに関する送信能力との両方に従って、ＤＬ−ＵＬリソース割当てを再構成してもよい。
【００１６】
図３は、本発明の実施形態に係るＴＤ−ＬＴＥシステムのようなシステム１００を示す。システム１００は、例えば基地局（ＢＳ１）および３つのユーザ機器（ＵＥ１、ＵＥ２およびＵＥ３）を備える。１つのＢＳおよび３つのＵＥは、単に説明のためだけに示されたものであり、システム１００にはＢＳおよび／またはＵＥがいくつ存在してもよいことに留意すべきである。
【００１７】
更に、本発明では、図３に示す例として、１つのセルの配置だけを考慮するが、本分野の当業者であれば、本発明の発明概念を、複数セルの配置にまで簡単に拡張できる。
【００１８】
本開示では、ユーザ機器（ＵＥ）は、端末、移動端末（ＭＴ）、加入者局（ＳＳ）、携帯用加入者局（ＰＳＳ）、移動局（ＭＳ）またはアクセス端末（ＡＴ）を指すものであってもよく、ＵＥ、端末、ＭＴ、ＳＳ、ＰＳＳ、ＭＳまたはＡＴの機能のいくつかまたは全てが含まれていてもよい。  
【００１９】
本開示では、基地局（ＢＳ）は、ノードＢ（ＮｏｄｅＢまたはＮＢ）または進化型ノードＢ（ｅＮｏｄｅＢまたはｅＮＢ）を指すものであってもよい。基地局は、マクロセルＢＳまたは小型セルＢＳであってもよい。本発明によれば、マクロセルＢＳは、マクロセル、例えばマクロｅＮＢを管理する基地局であってもよく、小型セルＢＳは、小型セル、例えばピコｅＮＢ、フェムトｅＮＢおよび他のいくつかの適合する低パワーノードを管理する基地局であってもよい。
【００２０】
図４は、ＴＤ−ＬＴＥシステムのようなＴＤＤシステムでのＤＬ−ＵＬリソース割当てを再構成する方法４００のフローチャートを示す。図４の方法は、システム１００のＢＳ１において、予め定められた時間間隔で実行される。
【００２１】
ステップ４１０において、ＢＳ１は、送信されるＤＬおよびＵＬに関するトラフィック状況を取得する。一例では、送信される、ＤＬバッファのＤＬデータ量およびＵＬバッファのＵＬデータ量それぞれを取得し、ＤＬデータ量とＵＬデータ量とのデータ量比率を算出することにより、トラフィック状況が取得されてもよい。ここで、ＤＬデータ量は、計算されてもよいし、さもなければＢＳ１によりそのＤＬバッファから取得されてもよく、ＵＬデータ量は、各ＵＥからＢＳ１へ例えば各アップリンク制御チャネルを介して通知されてもよい。
【００２２】
ステップ４２０において、ＢＳ１は、システムに関する送信能力および／またはＵＥに関する送信能力を推定する。システムに関する送信能力は、システムのＤＬ方向とＵＬ方向とでの送信能力の差異を示し、一方、ＵＥに関する送信能力は、ＢＳが受け持つ相異なるＵＥの送信能力を示す。
【００２３】
一例では、送信能力は、システムまたは各ＵＥのＤＬスループットまたはＵＬスループットのような、従前のＸｍｓでのスループットにより評価される。他の例では、送信能力は、次のＸｍｓで期待されるスループットにより評価されてもよい。
【００２４】
通常、ＵＥまたはＢＳの送信能力は、少なくとも、ＢＳおよびＵＥの送信および／または受信アンテナの数、ＢＳおよび／またはＵＥの送信電力、およびＢＳとＵＥとの間のチャネル状況のうちの１つに依存する。
【００２５】
ステップ４３０において、ＢＳ１は、ステップ４１０で取得したトラフィック状況と、ステップＳ４２０で推定した、システムに関する送信能力および／またはＵＥに関する送信能力と、に従って、ＤＬ−ＵＬリソース割当てを再構成してもよい。
【００２６】
一例において、上記再構成は、７つの設定のＤＬ−ＵＬ比率と、推定した送信能力に基づいて修正したＤＬ−ＵＬ比率との比較に依存して、システムで利用可能な７つの設定から１つの設定を選択することにより実行されてもよい。一例において、上記再構成は、７つの設定から、本発明に係る修正されたＤＬ−ＵＬ比率に最も近いＤＬ−ＵＬ比率を有する設定を選択することにより実行されてもよい。
【００２７】
例えば、ｌ＝０、・・・、６について、設定ｌのＤＬ−ＵＬ比率Ｋｃｌは、
【数１】
0005895096.tif 000002
として算出されるものであってもよい。
ここで、ＮＤＬｌ、ＮＵＬｌおよびＮＳｌは、設定ｌの１つの無線フレームの中のＤＬ、ＵＬおよび特殊サブフレームそれぞれの数を表し、ＮＯＦＤＭは、１つのサブフレームの中のＯＦＤＭシンボルの数を示し、ＫＤｗＰＴＳ、ＫＵｐＰＴＳは、１つの特殊フレームの中のＵｐＰＴＳおよびＤｗＰＴＳそれぞれの比率である。
【００２８】
また、ＤＬ−ＵＬ比率は、別の方法で算出されてもよいことに留意すべきである。例えば、ＫＤｗＰＴＳは通常ＫＵｐＰＴＳよりも非常に大きいので、特殊サブフレームは、近似的にＤＬサブフレームと看做してもよく、これにより前述の式（１）は、近似的に
【数２】
0005895096.tif 000003
と書き直されてもよい。
【００２９】
本分野の当業者にとっては、具体的な設定のＤＬ−ＵＬ比率を算出する方法はよく知られているので、本明細書では詳細に説明はしない。
【００３０】
以下では、システムに関する送信能力のみ、ＵＥに関する送信能力のみ、またはシステムに関する送信能力およびＵＥに関する送信能力の両方のいずれが考慮されるかという観点から、３つの実施形態が提供される。
【００３１】
（第１実施形態）
図５は、本発明に係るＤＬ−ＵＬリソース割当てを再構成する方法の第１実施形態を示す。第１実施形態では、システムに関する送信能力のみが、再構成にあたって考慮される。
【００３２】
図５によれば、ＢＳ１は、ステップＳ５１０において、ＢＳ１が受け持つ全てのＵＥ、例えば、図３に示すようなＵＥ１、ＵＥ２およびＵＥ３の全ＤＬデータ量および全ＵＬデータ量を取得し、ステップＳ５２０において、データ量比率として、全ＤＬデータ量と全ＵＬデータ量との比率を取得する。
【００３３】
ステップＳ５３０において、ＢＳ１は、システム１００のＤＬ送信能力およびＵＬ送信能力それぞれを推定し、ステップＳ５４０において、送信能力比率として、ＤＬ送信能力とＵＬ送信能力との比率を算出する。
【００３４】
一例において、送信能力は、従前の予め定められた時間Ｘｍｓでのシステムのスループットの平均により評価される。例えば、一実施例では、従前のＸｍｓでのＤＬサブフレームの総数がＴＤであると推測される。そして、ＤＬサブフレームｒ（ｒ＝１、２、・・・、ＴＤ）について、ＢＳ１は、以下の式（３）に従って、各ＵＥｉのスループットを算出してもよい。
【数３】
0005895096.tif 000004
ここで、ｉ＝１、２、・・・、ＮＤｒ、ＮＤｒは、ＤＬサブフレームｒ内のアクティブなＵＥの数であり、ＢＷＤｉ，ｒは、リソースブロック（ＲＢ）に関する、ＤＬサブフレームｒでのＵＥｉに割り当てられたバンド幅を表す。ρＤｉ，ｒは、チャネル品質指標（ＣＱＩ）の形成における、ＤＬサブフレームｒでのＵＥｉの受信信号の干渉および雑音に対する比率（ＳＩＮＲ）を示す。Ｐｉ，ｒは、ＤＬサブフレームｒでのＵＥｉの伝搬損失に相当する。ＭＤＴおよびＭＤＲは、それぞれＤＬ送信および受信アンテナの数を示す。ＨＤｉ，ｒは、ＣＮ（０，１）に従って分散する各要素を伴う、ＤＬサブフレームｒでのＵＥｉのＭＤＲ×ＭＤＴチャネル行列である。
【００３５】
そして、ＢＳ１は、例えば以下の式（４）に従って、ＵＥｉそれぞれのスループットを合計することにより、全てのアクティブＵＥのＤＬサブフレームｒの全てのスループットを算出してもよい。
【数４】
0005895096.tif 000005
【００３６】
そして、ＢＳ１は、従前のＸｍｓの送信におけるＴＤのＤＬサブフレーム全ての総スループットを算出し、ＤＬ送信の平均スループットを、システムのＤＬ送信能力の評価と看做すことができる、
【数５】
0005895096.tif 000006
により算出してもよい。
【００３７】
ＵＬ送信能力は、同様に且つ対応して、
【数６】
0005895096.tif 000007
により評価されてもよい。ここで、
【数７】
0005895096.tif 000008
であり、ＣＵ、ＣＵ〜Ｓ、ＴＵ、ＢＷＵｊ，Ｓ、ＭＵＴ、ＮＵＳ、Ｐｊ，Ｓ、Ｈｊ，ＳおよびρＵｊ，Ｓは、ＤＬについて定義されたものと同様且つ対応する意味を有し、これらは同様にして取得されてもよい。ここにおいて、ρＤｉ，ｒ、ρＵｊ，Ｓは、各ＵＥからＢＳ１へ量子化されることなくＰＵＳＣＨ（物理的アップリンク占有チャネル）を通じて直接通知されてもよい。
【００３８】
言い換えると、ＤＬ送信能力ＣＤおよびＵＬ送信能力ＣＵは、それぞれＤＬサブフレームおよびＵＬサブフレーム毎に送信されうるパケットの平均数として解釈されてもよい。
【００３９】
ある時間のスループットを算出する方法は、本分野の当業者にはよく知られているので、ここでは詳細に説明はしない。
【００４０】
ステップ５５０において、ＢＳ１は、ステップ５２０において取得されたデータ量比率およびステップ５４０で算出された送信能力比率に基づいて、ＤＬ−ＵＬリソース割当てを再構成する。一実施例では、ＢＳ１は、システム１００で利用可能な７つの設定から、本実施の形態に係る修正されたＤＬ−ＵＬ比率に最も近いＤＬ−ＵＬ比率を有する１つの設定を選択する。
【００４１】
システム１００で利用可能な７つの設定のＤＬ−ＵＬ比率それぞれは、例えば式（１）または（２）により算出されてもよい。
【００４２】
前述のように、ＤＬ送信能力ＣＤおよびＵＬ送信能力ＣＵは、それぞれＤＬサブフレームおよびＵＬサブフレーム毎に送信されうるパケットの平均数として解釈してもよい。従って、ＤＬデータ量ＢＤおよびＵＬデータ量ＢＵが与えられ、データ量比率がＫｂ＝ＢＤ／ＢＵとして表される場合、将来のＸｍｓの間のＤＬおよびＵＬサブフレームの要求される数は、それぞれ対応してＢＤ／ＣＤおよびＢＵ／ＣＵと推定されうる。即ち、送信能力比率がＫＳ＝ＣＤ／ＣＵとして表される場合、第１実施形態に係る修正されたＤＬ−ＵＬ比率は、
【数８】
0005895096.tif 000009
で計算されてもよい。
【００４３】
即ち、上記選択は、以下の選択基準に適合する設定ｌを検出することにより実行されるものであってもよい。
【数９】
0005895096.tif 000010
【００４４】
（第２実施形態）
図６は、本発明に係るＤＬ−ＵＬリソース割当てを再構成する方法の第２実施形態を示す。第２実施形態において、ＵＥに関する送信能力のみが再構成に際して考慮される。即ち、相異なるＵＥの送信能力の差異が考慮される。
【００４５】
図６によれば、ＢＳ１はステップ６１０においてＢＳ１が受け持つ各ＵＥ、例えば図３に示すようなＵＥ１、ＵＥ２およびＵＥ３それぞれのＤＬデータ量およびＵＬデータ量を取得する。
【００４６】
ステップ６２０において、ＢＳ１は、各ＵＥのＤＬ送信能力およびＵＬ送信能力を推定する。
【００４７】
一例において、各ＵＥの送信能力は、従前の時間ＸｍｓでのＵＥの平均スループットにより評価される。本実施形態において、第１実施形態と同じ前提および注釈が用いられる。
【００４８】
初めに、ＢＳ１は、従前のＸｍｓでのＤＬ送信でのＵＥの平均スループットを推定する。例えば、ＵＥｎの平均スループットは、
【数１０】
0005895096.tif 000011
として算出される。ここで、ＴＤｎは、従前のＸｍｓのＵＥｎでのＤＬサブフレームの数に相当する。第１実施形態と同様に、従前のＸｍｓのＵＥｎでの平均スループットが、ＵＥｎの送信能力として評価されてもよい。
【００４９】
ＢＳ１は、ステップ６３０において、各ＵＥのＤＬ送信能力と、ＢＳ１が受け持つ全てのＵＥの中で最大のＤＬ送信能力との比率を表す因子によって、各ＵＥのＤＬデータ量を調整してもよい。言い換えれば、各ＵＥのＤＬデータ量が、それぞれ前述の因子により重み付けされる。例えば、ＵＥｎの調整されたＤＬデータ量は、（１／ＫＤｎ）ＢＤｎと表される。ここで、ＢＤｎは、ＵＥｎへ送信されるＤＬバッファのＤＬデータ量であり、ＤＬ方向のＵＥｎの因子は、ＫＤｎ＝ＣＤ−ｎ／ＣＤ−ｍと表され、ｍは、全てのＵＥの中で最大のＤＬ送信能力を有するＵＥの指標である。
【００５０】
同様に、ＵＥｎの調整されたＵＬデータ量Ｄは、（１／ＫＵｎ）ＢＵｎと表され、ＵＬ方向のＵＥｎの因子は、ＫＵｎ＝ＣＵ−ｎ／ＣＵ−ｊと表され、ｊは、全てのＵＥの中で最大のＤＬ送信能力を有するＵＥの指標である。
【００５１】
ステップ６４０において、ＢＳ１は、全てのＵＥについて、重み付けされたＤＬデータ量の合計と重み付けされたＵＬデータ量の合計とを算出する。例えば、重み付けされたＤＬデータ量の合計と重み付けされた全てのＵＬデータの合計とは、それぞれ
【数１１】
0005895096.tif 000012
で算出されてもよい。
【００５２】
ステップ６５０において、ＢＳ１は重み付けされたＤＬデータ量と重み付けされたＵＬデータ量との修正された比率に基づいて、ＤＬ−ＵＬリソース割当てを再構成する。ＵＥに関する送信能力は、重み付けされたＤＬデータ量および重み付けされたＵＬデータ量を算出するときに考慮されているので、上記再構成は、実質的にトラフィック状況およびＵＥに関する送信能力の両方に基づいている。
【００５３】
一実施例において、ＢＳ１は、システム１００で利用可能な７つの設定から、本実施形態に係る修正されたＤＬ−ＵＬ比率に最も近いＤＬ−ＵＬ比率を有する１つの設定を選択する。
【００５４】
システム１００で利用可能な７つの設定それぞれのＤＬ−ＵＬ比率は、例えば式（１）または（２）により算出される。
【００５５】
本実施形態に係る修正されたＤＬ−ＵＬ比率は、
【数１２】
0005895096.tif 000013
で計算されてもよい。
【００５６】
即ち、上記選択は、７つの設定から、以下の選択基準に適合する設定ｌを検出することにより実行されるものであってもよい。
【数１３】
0005895096.tif 000014
【００５７】
（第３実施形態）
図７は、本発明に係るＤＬ−ＵＬリソース割当てを再構成する方法の第３実施形態を示す。第３実施形態において、システムに関する送信能力とＵＥに関する送信能力との両方が再構成の際に考慮される。第３実施形態は、第１実施形態と第２実施形態との組み合わせと考えてもよい。
【００５８】
図７の各ステップは第１実施形態または第２実施形態とほとんど同じなので、図７では、図５および図６と同じ参照番号を使用し、これらの説明は省略する。
【００５９】
例えば、ＢＳ１は、システム１００で利用可能な７つの設定から、以下の選択基準に適合する設定ｌを選択してもよい。
【数１４】
0005895096.tif 000015
【００６０】
図８は、本発明の実施形態に係るＤＬ−ＵＬ割当てを再構成する装置８００のブロック図を示す。この装置は、図３に示すＢＳ１のような基地局に使用されてもよい。  
【００６１】
本実施形態において、装置８００は、取得部８１０と、推定部８２０と、再構成部８３０と、を備える。取得部８１０は、送信されるＤＬおよびＵＬデータについてのトラフィック状況を取得するよう構成されてもよい。推定部８２０は、システムに関する送信能力おおよび／またはＵＥに関する送信能力を推定するよう構成されてもよい。再構成部８３０は、取得部８１０により取得されるトラフィック状況と、推定部８２０により推移されるシステムに関する送信能力および／またはＵＥに関する送信能力と、に従って、ＤＬ−ＵＬリソース割当てを再構成するよう構成されてもよい。
【００６２】
前述の説明に基づけば、当業者は、本開示が装置、方法またはコンピュータプログラム製品に組み込まれてもよいことが分かるであろう。一般的に、種々の例示的な実施形態は、ハードウェアまたは専用の回路、ソフトウェア、ロジックまたはこれらのいくつかの組み合わせで実現されてもよい。例えば、いくつかの観点は、ハードウェアで実現され、一方他の観点は、制御装置、マイクロプロセッサまたは他の計算デバイスにより実行されてもよいファームウェアまたはソフトウェアで実現されてもよい。但し、本開示はこれらに限定されない。本開示の例示的な実施形態の種々の観点は、ブロック図、フローチャートまたは他のいくつかの図を使った表現を用いて図解および説明される一方、本明細書で説明されるこれらのブロック、装置、システム、技術または方法は、これらに限定されるわけではないが、ハードウェア、ソフトウェア、ファームウェア、専用回路またはロジック、汎用ハードウェアまたは制御装置または他の計算デバイス、またはこれらのいくつかの組み合わせで実現されてもよい。
【００６３】
図４〜８に示された種々のブロックは、方法ステップおよび／またはコンピュータプログラムコードの操作の結果生じる動作、および／または関連する機能を実行するよう構成された複数の互いに組み合わされた論理回路と看做してもよい。本開示の例示的な実施形態の少なくともいくつかの観点は、集積回路チップおよびモジュールのような種々の要素で実行されてもよく、本開示の例示的な実施形態は、本開示の例示的な実施形態に従って動作するよう構成された集積回路、ＦＰＧＡまたはＡＳＩＣとして組み込まれた装置で実現されてもよい。
【００６４】
本明細書は、多くの特殊な実施形態の詳細を含む一方、これらは、開示の範囲または請求するものの範囲を限定するものとして解釈されるべきではなく、むしろ特定の開示の特定の実施形態に特有でありうる特徴を説明するものとして解釈されるべきである。また、本明細書の別の実施形態の内容で説明されているある特徴は、単一の実施形態の組み合わせで実現されうる。また、逆に、単一の実施形態の内容で説明されている種々の特徴は、別々の複数の実施形態において、またはいくつかの適当な部分的組み合わせにおいて実現されうる。その上、前述において特徴がある組み合わせにおいて現れ、当初そのように請求されているかもしれないが、請求に係る組み合わせの複数の特徴が、いくつかの場合、組み合わせから削除されうるとともに、請求に係る組み合わせが、部分的組み合わせまたは部分的組み合わせのバリエーションになってもよい。
【００６５】
同様に、図面では動作が特定の順序で描かれているが、これは、所望の結果を得るために、このような動作が図示された特定の順序または連続的な順序で実行されたり、或いは説明されている全ての動作が実行されたりすることが要求されると理解されるべきではない。ある状況において、マルチタスク処理および並行処理が有利かもしれない。その上、前述の実施形態における互いに異なる種々のシステム要素は、全ての実施形態においてそのように分離されていることが要求されると理解されるべきではなく、記載されているプログラム要素およびシステムは、通常、単一のソフトウェア製品にまとめて集積されたり、或いは複数のソフトウェア製品に詰め込まれたりされてもよいと理解されるべきである。  
【００６６】
本開示の前述の例示的な実施形態に対する種々の修正、改造は、関連分野の当業者であれば、添付図面を組み合わせて本明細書を読むと、前述の観点から明らかなものとなるかもしれない。いずれかおよび全ての修正は、本開示の非限定的且つ例示的な実施形態の範囲内に入るであろう。更に、本明細書で明らかにされた本開示の他の実施形態は、前述の記載および関連する図面で示唆されている利益を有するものとして、本開示の実施形態の属する分野の当業者が思い浮かべるだろう。
【００６７】
即ち、本開示の実施形態は、開示されている特定の実施形態に限定されず、修正および他の実施形態が、添付の請求項の範囲内に含まれることが意図される。本明細書では特定の用語が使用されているが、これらは一般的且つ記述的な意味でのみ使用され、限定目的で使用されない。
【００６８】
（付記１）
基地局（ＢＳ）と、前記ＢＳが受け持つ複数のユーザ機器（ＵＥ）とを備える時分割複信（ＴＤＤ）システムにおけるダウンリンク（ＤＬ）−アップリンク（ＵＬ）リソース割当てを再構成する方法であって、
ａ）送信されるＤＬおよびＵＬデータのトラフィック状況を取得するステップと、
ｂ）ＴＤＤシステムのＤＬ送信能力およびＵＬ送信能力を示すシステムに関する送信能力、および／または、相異なるＵＥの送信能力を示すＵＥに関する送信能力を推定するステップと、
ｃ）取得される前記トラフィック状況と、推定される前記システムに関する送信能力および／または前記ＵＥに関する送信能力とに従って、ＤＬ−ＵＬリソース割当てを再構成するステップと、を含む、
方法。  
【００６９】
（付記２）
前記ステップａ）は、
送信される、ＤＬバッファのＤＬデータ量およびＵＬバッファのＵＬデータ量それぞれを取得することと、
前記ＤＬデータ量および前記ＵＬデータ量のデータ量比率を算出することと、を含む、
付記１に記載の方法。
【００７０】
（付記３）
前記ステップａ）は、
前記ＴＤＤシステムの前記複数のＵＥの、ＤＬバッファの全ＤＬデータ量と、ＵＬバッファの全ＵＬデータ量とを取得することと、
前記全ＤＬデータ量と前記全ＵＬデータ量とのデータ量比率を取得することと、を含み、
前記ステップｂ）は、
前記ＴＤＤシステムの前記ＤＬ送信能力および前記ＵＬ送信能力を推定することと、
前記ＤＬ送信能力と前記ＵＬ送信能力との送信能力比率を算出することと、を含む、
付記１に記載の方法。
【００７１】
（付記４）
前記ステップｃ）は、
複数の設定から、前記データ量比率を前記送信能力比率で除することにより得られる修正されたＤＬ−ＵＬ比率に最も近いＤＬ−ＵＬ比率を有する１つの設定を選択することを含む、
付記３に記載の方法。
【００７２】
（付記５）
前記ステップａ）は、
複数のＵＥのＵＥそれぞれのＤＬデータ量およびＵＬデータ量それぞれを取得することを含み、
前記ステップｂ）は、
各ＵＥの前記ＤＬ送信能力および前記ＵＬ送信能力を推定することと、
前記ＵＥの前記ＤＬデータ量および前記ＵＬデータ量を、前記ＵＥの前記ＤＬ送信能力と前記複数のＵＥの中で最大のＤＬ送信能力との比率を表すＤＬ因子と、前記ＵＥの前記ＵＬ送信能力と前記複数のＵＥの中で最大のＵＬ送信能力との比率を表すＵＬ因子と、により、それぞれ調整することと、
前記複数のＵＥについて、前記調整されたＤＬデータ量の合計と、前記調整されたＵＬデータ量の合計とをそれぞれ算出することと、を含む、
付記１に記載の方法。
【００７３】
（付記６）
前記ステップｃ）は、
複数の設定から、前記調整されたＤＬデータ量の合計および前記調整されたＵＬデータ量の合計を除することにより取得される修正されたＤＬ−ＵＬ比率に最も近いＤＬ−ＵＬ比率を有する１つの設定を選択することを含む、
付記５に記載の方法。
【００７４】
（付記７）
前記ステップｂ）は、更に、
前記ＴＤＤシステムの前記ＤＬ送信能力および前記ＵＬ送信能力を推定することと、
前記ＤＬ送信能力および前記ＵＬ送信能力の送信能力比率を算出することと、を含む、
付記５に記載の方法。
【００７５】
（付記８）
前記ステップｃ）は、
複数の設定から、前記修正されたＤＬ−ＵＬ比率を、前記送信能力比率で除したときの商に最も近いＤＬ−ＵＬ比率を有する１つの設定を選択することを含む、
付記７に記載の方法。
【００７６】
（付記９）
予め定められた時間間隔で実行される、
付記１に記載の方法。
【００７７】
（付記１０）
前記ＤＬ送信能力および前記ＵＬ送信能力は、従前の予め定められた期間のＤＬスループットおよびＵＬスループットにより評価される、
付記９に記載の方法。
【００７８】
（付記１１）
送信される前記ＵＬデータの前記トラフィック状況は、前記ＵＥから前記ＢＳへ通知される、
付記１に記載の方法。
【００７９】
（付記１２）
前記送信能力は、前記ＢＳおよび前記ＵＥの送信および／または受信アンテナの数、前記ＢＳおよび／または前記ＵＥの送信電力、および前記ＢＳと各ＵＥとの間のチャネル状況のうちの少なくとも１つによって推定される、
付記１に記載の方法。  
【００８０】
（付記１３）
基地局（ＢＳ）と、前記ＢＳが受け持つ複数のユーザ機器（ＵＥ）とを備える時分割複信（ＴＤＤ）システムにおけるダウンリンク（ＤＬ）−アップリンク（ＵＬ）リソース割当てを再構成する装置であって、
送信されるＤＬおよびＵＬデータのトラフィック状況を取得するよう構成された取得部と、
ＴＤＤシステムのＤＬ送信能力およびＵＬ送信能力を示すシステムに関する送信能力、および／または、相異なるＵＥの送信能力を示すＵＥに関する送信能力を推定するよう構成された推定部と、
取得される前記トラフィック状況と、推定される前記システムに関する送信能力および／または前記ＵＥに関する送信能力とに従って、ＤＬ−ＵＬリソース割当てを再構成するよう構成された再構成部と、を備える、
装置。    
【図１】
0005895096.tif 000016
【図２】
0005895096.tif 000017
【図３】
0005895096.tif 000018
【図４】
0005895096.tif 000019
【図５】
0005895096.tif 000020
【図６】
0005895096.tif 000021
【図７】
0005895096.tif 000022
【図８】
0005895096.tif 000023